(57)【要約】【課題】電線の撚りほどき量を低減してインピーダンスの不整合を抑制することができる圧接端子と被覆電線との電線圧接方法及びこの電線圧接方法に用いられる電線ホルダの提供。【解決手段】本発明は、圧接端子１５の圧接刃２６、２６間に被覆電線１２の端末１３を圧入し、圧接端子１５と被覆電線１２とを接続する電線圧接方法であって、被覆電線１２の端末１３を電線圧接ホルダ１０の電線端末挿入孔１４内に挿通させて電線端末を保持し、電線端末挿入孔１４に対して交差する方向に設けられた電線圧接ホルダ１０の圧接端子挿入溝１６内に圧接端子１５を挿入し、圧接刃２６、２６間に電線端末挿入孔１４内に挿通している被覆電線１２を圧入し、電線端末の先端部１７を切断する。【選択図】図１
2014191863.tif 000002
【特許請求の範囲】
【請求項１】
圧接端子の圧接刃間に被覆電線の端末を圧入し、圧接端子と被覆電線とを接続する電線圧接方法であって、
前記被覆電線の端末を電線圧接ホルダの電線端末挿入孔内に挿通させて電線端末を保持し、電線端末挿入孔に対して交差する方向に設けられた電線圧接ホルダの圧接端子挿入溝内に圧接端子を挿入し、圧接刃間に前記電線端末挿入孔内に挿通している被覆電線を圧入し、電線端末の先端側を切断することを特徴とする電線圧接方法。
【請求項２】
請求項１記載の電線圧接方法であって、
前記被覆電線はツイストペアケーブルであることを特徴とする電線圧接方法。
【請求項３】
圧接端子の圧接刃間に被覆電線の端末を圧入し、圧接端子と被覆電線とを接続する電線圧接ホルダであって、
ホルダ本体部と、
このホルダ本体部に設けられて電線の端末が挿通されて保持される電線端末挿入孔と、
前記電線端末挿入孔に対して交差する方向に設けられ前記圧接端子が挿入されて前記電線端末に圧接接続される圧接端子挿入溝と、
前記ホルダ本体部に設けられ電線端末の先端部を切断可能な電線端末切断面とからなることを特徴とする電線圧接ホルダ。
【発明の詳細な説明】
【技術分野】
【０００１】
本発明は、圧接端子の圧接刃間に被覆電線を圧入し、圧接端子と被覆電線とを接続する圧接端子と被覆電線との電線圧接方法及びこの電線圧接方法に用いられる電線圧接ホルダに関する。
【背景技術】
【０００２】
特許文献１には、圧接端子と被覆電線とを圧接接続する電線圧接工法が提案されている。この電線圧接工法では、圧接端子を受け治具に設けた端子嵌合溝部にセットした後に、圧接端子の一対の圧接刃の上方位置に対応して電線を配置し、圧接刃に対して昇降自在な圧接ヘッドにより一対の圧接刃間に電線を圧入する。
【０００３】
すなわち、図４（ａ））に示すように圧接端子１の上方に被覆電線２を配置し、図４（ｂ）に示すように圧接ヘッドにより一対の圧接刃３、３間に被覆電線２を圧入する。そして、図４（ｃ）に示すように被覆電線２の端末先端部４を切断治具等により切断する。これにより被覆電線２の端末に圧接端子１が接続される。
【先行技術文献】
【特許文献】
【０００４】
【特許文献１】特開２００２−１５１２２７号公報
【発明の概要】
【発明が解決しようとする課題】
【０００５】
ところが、図３に示すように、被覆電線の端末先端部４を切断治具５により切断する場合、圧接刃３の両側に切断治具５が入る隙間６を確保しなければならない。このため被覆電線２の被覆の端面８を圧接刃３の一面から離間させて隙間６を作る必要から、例えばツイスト線のような場合には、撚り状態の芯線７、７の撚りをほどいている。この芯線７、７のよりほどき量が長いと、撚りほどいた部分だけ芯線が長くなるので、ツイスト線の場合には、インピーダンスの不整合が生じてしまい、その分信号の伝送ロスや反射が大きくなってしまうという問題がある。
【０００６】
そこで、本発明は、電線の撚りほどき量を低減してインピーダンスの不整合を抑制することができる圧接端子と被覆電線との電線圧接方法及びこの電線圧接方法に用いられる電線ホルダの提供を目的とする。
【課題を解決するための手段】
【０００７】
上記目的を達成するため請求項１の圧接端子と被覆電線との電線圧接方法は、圧接端子の圧接刃間に被覆電線の端末を圧入し、圧接端子と被覆電線とを接続する電線圧接方法であって、前記被覆電線の端末を電線圧接ホルダの電線端末挿入孔内に挿通させて電線端末を保持し、電線端末挿入孔に対して交差する方向に設けられた電線圧接ホルダの圧接端子挿入溝内に圧接端子を挿入し、圧接刃間に前記電線端末挿入孔内に挿通している被覆電線を圧入し、電線端末の先端側を切断することを特徴とする。
【０００８】
請求項２の圧接端子と被覆電線との電線圧接方法は、請求項１記載の電線圧接方法であって、前記被覆電線はツイストペアケーブルであることを特徴とする。
【０００９】
請求項３の電線圧接方法に用いられる電線圧接ホルダは、圧接端子の圧接刃間に被覆電線の端末を圧入し、圧接端子と被覆電線とを接続する電線圧接ホルダであって、ホルダ本体部と、このホルダ本体部に設けられて電線の端末が挿通されて保持される電線端末挿入孔と、前記電線端末挿入孔に対して交差する方向に設けられ前記圧接端子が挿入されて前記電線端末に圧接接続される圧接端子挿入溝と、前記ホルダ本体部に設けられ電線端末の先端部を切断可能な電線端末切断面とからなることを特徴とする。
【発明の効果】
【００１０】
請求項１の発明の圧接端子と被覆電線との電線圧接方法では、被覆電線の端末を電線圧接ホルダの電線端末挿入孔内に挿通させて電線端末を保持し、電線圧接ホルダの圧接端子挿入溝内に圧接端子を挿入することで圧接刃間に被覆電線が圧入されて接続され、この状態から電線端末の先端側を切断するので、電線端末の先端部を切断する際に、切断治具が挿入される隙間を圧接刃の一側に設ける必要がなく、被覆電線の被覆部材の端面と圧接刃との間に隙間が生じないので、電線の撚りほどき量を低減することができる。これにより、インピーダンスの不整合を抑制することができ、インピーダンスの不整合を抑制することができるので、伝送ロスや反射が小さくなり、高速な伝送が可能となる。
【００１１】
請求項２の発明の圧接端子と被覆電線との電線圧接方法では、被覆電線としてツイストペアケーブルを用いた場合ではペアケーブルを電線圧接ホルダで保持し、圧接端子に圧接接続した後に不要な部分の切断で切断治具が挿入される隙間を確保する必要がないのでツイストペアケーブルのよりを戻すことで隙間を作る必要がない。これにより、ケーブルの撚りを戻した部分が存在しないのでインピーダンスの不整合を抑制することができ、インピーダンスの不整合を抑制することができるので、伝送ロスや反射が小さくなり、高速な伝送が可能となる。
【００１２】
請求項３の発明の電線圧接ホルダでは、ホルダ本体部の電線端末挿入孔に電線の端末を挿入して保持し、この状態でホルダ本体部に設けた圧接端子挿入溝内に圧接端子を挿入することで電線端末に圧接端子が圧接接続される。そして、ホルダ本体部の電線端末切断面に沿って端末切断治具で電線の端末を切断する。
【００１３】
本発明の電線圧接ホルダによれば、従来、電線端末に圧接端子を圧接接続する際に、電線端末の先端部を切断する際に切断治具を挿入するための隙間を形成する必要があったが電線圧接ホルダを用いることで切断治具を挿入するための隙間を形成する必要がないので電線の撚りを戻す必要がなくなり、電線の撚りを戻した部分が存在しないのでインピーダンスの不整合を抑制することができ、インピーダンスの不整合を抑制することができるので、伝送ロスや反射が小さくなり、高速な伝送が可能となる。
【図面の簡単な説明】
【００１４】
【図１】本発明に係る圧接端子と被覆電線との電線圧接方法に用いられる電線ホルダを示し、（ａ）は電線ホルダに電線端末を保持した状態を示す斜視図、（ｂ）は電線ホルダに保持された電線端末部分に圧接端子を挿入する状態を示す斜視図、（ｃ）は電線端末部分の先端部を切断した状態を示す斜視図である。
【図２】電線ホルダに電線端末を保持し、電線端末に圧接端子を圧入した状態を示す断面図である。
【図３】従来の電線圧接方法を示す断面図である。
【図４】従来の電線圧接方法を示し、（ａ）は圧接端子の上部に電線を位置させた状態を示す斜視図、（ｂ）は圧接端子に電線を圧入した状態を示す斜視図、（ｃ）は圧接端子に圧入された電線端末の不要な部分を切断した状態を示す斜視図である。
【発明を実施するための形態】
【００１５】
以下、本発明の実施形態を図面に基づいて説明する。
【００１６】
最初に、本発明に係る圧接端子と被覆電線との電線圧接方法に用いられる電線圧接ホルダについて説明する。
【００１７】
図１（ａ）、（ｂ）、（ｃ）に示すように、電線圧接ホルダ１０は、ホルダ本体部１１と、このホルダ本体部１１に設けられて電線１２の端末１３が挿通されて保持される電線端末挿入孔１４と、電線端末挿入孔１４に対して交差する方向に設けられ圧接端子１５が挿入されて電線の端末１３に圧接接続される圧接端子挿入溝１６と、ホルダ本体部１１に設けられ電線１２の端末１３の先端部１７を切断可能な電線端末切断面１８とからなる。
【００１８】
ホルダ本体部１１は、複数の部材を組み合わせて矩形状ブロック状に形成されている。このホルダ本体部１１の一側（図１の紙面上の上部側）と他側（図１の紙面上の下部側）に、厚み方向に貫通して上記電線端末挿入孔１４が形成されている。電線端末挿入孔１４は、一側に３箇所の挿通孔１９、１９、１９と、他側に３箇所の挿通孔１９、１９、１９とが形成されている。これらの挿通孔１９、１９、１９内には、電線（ツイストペアケーブル）の撚り線２０、２０がそれぞれ挿通される。
【００１９】
これらの挿通孔１９、１９、１９の挿通方向に対して交差する方向（上下方向）に沿って上記圧接端子挿入溝１６が、挿通孔１９、１９、１９に対応して形成されている。圧接端子挿入溝１６は、ホルダ本体部１１の上下面２１、２２にそれぞれ開口した開口部２３が形成されており、これらの開口部２３から圧接端子１５が挿通孔１９、１９、１９の挿通方向に対して交差する方向に挿入される。
【００２０】
また、ホルダ本体部１１の表面側は、平坦に形成されて上記電線端末切断面１８が形成されている。この電線端末切断面１８に沿って切断治具（切断刃）２４を移動させることで電線１２の端末１３の先端部１７（不要な部分）が切断される。
【００２１】
圧接端子１５は、板状の端子本体２５と、この端子本体２５の一端に形成され一対の圧接刃２６、２６を有する圧接端子部２７と、この圧接端子部２７に隣接し圧接端子部２７に対して直交する方向に折曲形成された音叉端子部２８とで形成されている。
【００２２】
なお、ホルダ本体部１１には、圧接端子挿入溝１６と同方向に沿って、音叉端子挿入溝２９が形成されている。この音叉端子挿入溝２９は、ホルダ本体部１１の表面側（上記した電線端末切断面１８）にスリット状の開口部３０が形成され、これらの開口部３０から音叉端子部２８が外方向に突出する。
【００２３】
次に、上記した電線圧接ホルダ１０を用いた圧接端子１５と被覆電線１２との電線圧接方法について説明する。
【００２４】
被覆電線１２の端末１３を電線圧接ホルダ１０の電線端末挿入孔１４内に挿通させて電線１２の端末１３を保持し、電線端末挿入孔１４に対して交差する方向に設けられた電線圧接ホルダ１０の圧接端子挿入溝１６内に圧接端子１５を挿入し、圧接刃２６、２６間に前記電線端末挿入孔１４内に挿通している電線１２を圧入する。次に電線端末の先端側を切断治具（切断刃）２４により切断する。
【００２５】
このように、本実施形態の圧接端子１５と被覆電線１２との電線圧接方法では、被覆電線１２の端末１３を電線圧接ホルダ１０の電線端末挿入孔１４内に挿通させて電線の端末１３を保持し、電線圧接ホルダ１０の圧接端子挿入溝１６内に圧接端子１５を挿入することで圧接刃２６、２６間に被覆電線１２が圧入されて接続され、この状態から電線の端末１３の先端部１７を切断するので、電線の端末１３の先端部１７を切断する際に、切断治具等が挿入される隙間を圧接刃２６、２６の一側に設ける必要がなく、被覆電線１２の被覆部材の端面３１と圧接刃２６との間の隙間を小さくすることができ、電線１２の撚りほどき量を低減することができる。これにより、インピーダンスの不整合を抑制することができ、インピーダンスの不整合を抑制することができるので、伝送ロスや反射が小さくなり、高速な伝送が可能となる。
【００２６】
また、被覆電線１２としてツイストペアケーブルを用いた場合ではペアケーブルを電線圧接ホルダ１０で保持し、圧接端子１５に圧接接続した後に不要な部分の切断で切断治具等が挿入される隙間を確保する必要がないのでツイストペアケーブルのよりを戻すことで隙間を作る必要がない。これにより、ケーブルの撚りを戻した部分が存在しないのでインピーダンスの不整合を抑制することができ、インピーダンスの不整合を抑制することができるので、伝送ロスや反射が小さくなり、高速な伝送が可能となる。
【００２７】
さらに、本実施形態の電線圧接ホルダ１０によれば、従来、電線の端末１３に圧接端子１５を圧接接続する際に、電線の端末１３の先端部１７を切断する際に切断治具等を挿入するための隙間を形成する必要があったが、電線圧接ホルダ１０を用いることで切断治具等を挿入するための隙間を形成する必要がないので電線１２の撚りを戻す必要がなくなり、電線１２の撚りを戻した部分が存在しないのでインピーダンスの不整合を抑制することができ、インピーダンスの不整合を抑制することができるので、伝送ロスや反射が小さくなり、高速な伝送が可能となる。
【符号の説明】
【００２８】
１０  電線圧接ホルダ
１２  電線（被覆電線）
１３  端末
１４  電線端末挿入孔
１５  圧接端子
１６  圧接端子挿入溝
１７  先端部
２６  圧接刃
【図１】
2014191863.tif 000003
【図２】
2014191863.tif 000004
【図３】
2014191863.tif 000005
【図４】
2014191863.tif 000006